(57)【要約】【課題】導体部へのワイヤバレルの圧着による導体部の傷付きを防止でき、導体部の断線を防止することができる接続端子を提供する。【解決手段】相手端子に接続される電気接続部３と、被覆電線の端末部に接続され被覆電線の導体部に圧着されるワイヤバレル９を有する電線接続部１１とを備えた接続端子１において、ワイヤバレル９の少なくとも被覆電線の引出方向の端部に、導体部側の角部が面取りされた面取部１３を設けた。【選択図】図２
2018073768.tif 000002
【特許請求の範囲】
【請求項１】
相手端子に接続される電気接続部と、被覆電線の端末部に接続され前記被覆電線の導体部に圧着されるワイヤバレルを有する電線接続部とを備えた接続端子であって、
前記ワイヤバレルの少なくとも前記被覆電線の引出方向の端部には、前記導体部側の角部が面取りされた面取部が設けられていることを特徴とする接続端子。
【請求項２】
請求項１記載の接続端子であって、
前記被覆電線の導体部は、複数の素線からなることを特徴とする接続端子。
【請求項３】
請求項１又は２記載の接続端子であって、
前記電線接続部は、前記被覆電線の被覆部を加締めるインシュレーションバレルを有し、
前記被覆電線の端末部には、ゴム栓が組付けられ、
前記インシュレーションバレルは、前記ゴム栓の外周を加締めて前記ゴム栓を介して前記被覆部を加締めることを特徴とする接続端子。
【発明の詳細な説明】
【技術分野】
【０００１】
本発明は、接続端子に関する。詳細には、被覆電線の導体部に圧着される電線接続部を有する接続端子に関する。
【背景技術】
【０００２】
従来、接続端子としては、相手端子に接続される電気接続部と、被覆電線の端末部に接続され前記被覆電線の導体部に圧着されるワイヤバレルとしての導体加締部を有する電線接続部とを備えたものが知られている（例えば、特許文献１参照）。
【０００３】
この接続端子では、被覆電線の被覆部が剥がされて露出した導体部に対して、治具などにより導体加締部を圧着させ、被覆電線と接続端子とを電気的に接続させている。
【０００４】
このような接続端子の導体加締部には、導体加締部を導体部に圧着させるときに、導体加締部の端部が導体部に食い込んで導体部の断線などを防止するために、端部が導体部から離れる方向に変形するベルマウスが設けられている。
【先行技術文献】
【特許文献】
【０００５】
【特許文献１】特開平１１−８７０１０号公報
【発明の概要】
【発明が解決しようとする課題】
【０００６】
ところで、上記特許文献１のような接続端子では、ワイヤバレルの端部に断線防止用のベルマウスが設けられているが、ワイヤバレルの端部の導体部側の角部がエッジ状になっている。
【０００７】
このため、ワイヤバレルを導体部に圧着するときにワイヤバレルにベルマウスを形成させたとしても、エッジ状の角部が導体部に食い込むなどして導体部に傷が付くことが懸念される。
【０００８】
加えて、ワイヤバレルの被覆電線の引出方向の端部には、被覆電線に加わる引張力や被覆電線の振動などの外力が加わり易く、導体部に傷が生じると、導体部が断線する可能性が非常に高くなってしまうことも懸念される。
【０００９】
そこで、この発明は、導体部へのワイヤバレルの圧着による導体部の傷付きを防止でき、導体部の断線を防止することができる接続端子の提供を目的としている。
【課題を解決するための手段】
【００１０】
請求項１記載の発明は、相手端子に接続される電気接続部と、被覆電線の端末部に接続され前記被覆電線の導体部に圧着されるワイヤバレルを有する電線接続部とを備えた接続端子であって、前記ワイヤバレルの少なくとも前記被覆電線の引出方向の端部には、前記導体部側の角部が面取りされた面取部が設けられていることを特徴とする。
【００１１】
この接続端子では、ワイヤバレルの少なくとも被覆電線の引出方向の端部に、導体部側の角部が面取りされた面取部が設けられているので、ワイヤバレルの端部にエッジ状の部分がなく、ワイヤバレルの圧着時における導体部の傷付きを防止することができる。
【００１２】
加えて、面取部は、ワイヤバレルの少なくとも被覆電線の引出方向の端部に設けられているので、被覆電線に引張力や振動が生じても、導体部の傷付きを防止することができる。
【００１３】
従って、このような接続端子では、ワイヤバレルの端部に面取部が設けられているので、導体部へのワイヤバレルの圧着による導体部の傷付きを防止でき、導体部の断線を防止することができる。
【００１４】
請求項２記載の発明は、請求項１記載の接続端子であって、前記被覆電線の導体部は、複数の素線からなることを特徴とする。
【００１５】
この接続端子では、被覆電線の導体部が、複数の素線からなるので、ワイヤバレルの面取部によって、ワイヤバレルの圧着による複数の素線の傷付きを防止でき、複数の素線の断線を防止することができる。
【００１６】
請求項３記載の発明は、請求項１又は２記載の接続端子であって、前記電線接続部は、前記被覆電線の被覆部を加締めるインシュレーションバレルを有し、前記被覆電線の端末部には、ゴム栓が組付けられ、前記インシュレーションバレルは、前記ゴム栓の外周を加締めて前記ゴム栓を介して前記被覆部を加締めることを特徴とする。
【００１７】
この接続端子では、インシュレーションバレルが、ゴム栓の外周を加締めてゴム栓を介して被覆部を加締めるので、被覆電線に引張力や振動が加わったときに、導体部に外力が加わり易いが、面取部によって導体部の傷付きが防止されており、導体部の断線を防止することができる。
【発明の効果】
【００１８】
本発明によれば、導体部へのワイヤバレルの圧着による導体部の傷付きを防止でき、導体部の断線を防止することができる接続端子を提供することができるという効果を奏する。
【図面の簡単な説明】
【００１９】
【図１】本発明の実施の形態に係る接続端子の側面図である。
【図２】本発明の実施の形態に係る接続端子の展開図である。
【図３】図２の要部拡大図である。
【図４】本発明の実施の形態に係る接続端子のワイヤバレルを導体部に圧着させる前の断面図である。
【図５】本発明の実施の形態に係る接続端子のワイヤバレルを導体部に圧着させたときの断面図である。
【発明を実施するための形態】
【００２０】
図１〜図５を用いて本発明の実施の形態に係る接続端子について説明する。
【００２１】
本実施の形態に係る接続端子１は、相手端子に接続される電気接続部３と、被覆電線５の端末部に接続され被覆電線５の導体部７に圧着されるワイヤバレル９と被覆電線５の端末部に組付けられるゴム栓１５に加締められるインシュレーションバレル１７とを有する電線接続部１１とを備えている。
【００２２】
そして、ワイヤバレル９の少なくとも被覆電線５の引出方向の端部には、導体部７側の角部が面取りされた面取部１３が設けられている。
【００２３】
また、被覆電線５の導体部７は、複数の素線からなる。
【００２４】
図１〜図５に示すように、被覆電線５は、銅又は銅合金などの銅系金属、或いはアルミニウム又はアルミニウム合金などのアルミニウム系金属からなる複数の素線が撚られた導体部７と、この導体部７を被覆する絶縁材料からなる被覆部１５とを備えている。
【００２５】
この被覆電線５は、端部の被覆部１５が所定長さ剥がされ、露出した導体部７に対して接続端子１が圧着される。
【００２６】
接続端子１は、銅又は銅合金などの銅系金属からなる一枚の板材に対してプレス加工や折り曲げ加工などが施され、電気接続部３と、電線接続部１１とを備えている。
【００２７】
電気接続部３は、折り曲げ加工を施され、内部に接点部を有する弾性変形可能な弾性片２１が配置された箱状の雌型となっている。
【００２８】
この電気接続部３には、相手端子（不図示）のタブ状の雄型の電気接続部が挿入され、弾性片２１の接点部と接触することにより、接続端子１と相手端子とが電気的に接続される。
【００２９】
このような電気接続部３は、底板２３を介して電線接続部１１と連続する一部材で形成されている。
【００３０】
電線接続部１１は、一対のワイヤバレル９と、一対のインシュレーションバレル１７とを備えている。
【００３１】
一対のワイヤバレル９は、電気接続部３と被覆電線５の引出方向に隣接して配置され、底板２３の両側からそれぞれ連続する一部材で形成されている。
【００３２】
この一対のワイヤバレル９は、上型２５と下型２７とかなる治具の下型２７に底板２３が配置され、底板２３上に導体部７が配置された状態で、上型２５を下型２７に向けて下降することにより、導体部７に圧着され、接続端子１と被覆電線５とを電気的に接続する。
【００３３】
このとき、一対のワイヤバレル９の被覆電線５の引出方向の端部には、上型２５によって導体部７の断線を防止するベルマウス２９が形成される。
【００３４】
一対のインシュレーションバレル１７は、ワイヤバレル９と被覆電線５の引出方向に隣接して配置され、底板２３の両側からそれぞれ連続する一部材で形成されている。
【００３５】
ここで、被覆電線５の端末部には、ゴム栓１９が組付けられている。
【００３６】
このゴム栓１９は、例えば、接続端子１がハウジング（不図示）内に挿入されるとき、外周面がハウジングに形成された挿入孔の内周面に密着し、ハウジングの内部を防水する。
【００３７】
このようなゴム栓１９が組付けられた被覆電線５の端末部に対して、一対のインシュレーションバレル１７は、治具（不図示）によってゴム栓１９の外周に加締められ、ゴム栓１９を介して被覆部１５を加締めて、接続端子１と被覆電線５とを固定する。
【００３８】
なお、ゴム栓１９を介さずに直接、一対のインシュレーションバレル１７を被覆電線５の被覆部１５に加締めてもよいが、ゴム栓１９の外周を一対のインシュレーションバレル１７で加締めることにより、ゴム栓１９と被覆電線５との密着性を向上することができ、防水性を向上することができる。
【００３９】
このような接続端子１において、一対のワイヤバレル９の被覆電線５の引出方向の端部がエッジ状であると、ワイヤバレル９を導体部７に圧着させたときに、導体部７に傷が付くことが懸念される。
【００４０】
特に、ワイヤバレル９の被覆電線５の引出方向の端部には、被覆電線５に加わる引張力や被覆電線５の振動などの外力が加わり易く、導体部７の傷を起点として、導体部７が断線することも懸念される。
【００４１】
そこで、ワイヤバレル９の被覆電線５の引出方向の端部には、導体部７側の角部が面取りされた面取部１３が設けられている。
【００４２】
面取部１３は、ワイヤバレル９を導体部７に圧着したときに形成されるベルマウス２９の基端側から被覆電線５の引出方向の先端側に向けて、導体部７側の角部を面取りするようにテーパ、或いはＲ形状に形成されている。
【００４３】
このようにワイヤバレル９の端部に面取部１３を設けることにより、ワイヤバレル９の端部がエッジ状になることがなく、ワイヤバレル９を導体部７に圧着したときに、ベルマウス２９の端部が導体部７に食い込むことがなく、導体部７の傷付きを防止することができる。
【００４４】
このような面取部１３をワイヤバレル９の被覆電線５の引出方向の端部に設けることにより、被覆電線５に引張力や振動などが生じても、導体部７に傷付きがないので、導体部７の断線を防止することができる。
【００４５】
加えて、ワイヤバレル９の端部には、面取部１３によってエッジ状の部分がないので、被覆電線５に引張力や振動などが生じても、導体部７とワイヤバレル９の端部との干渉による導体部７の傷付きを防止することができる。
【００４６】
このような接続端子１では、ワイヤバレル９の少なくとも被覆電線５の引出方向の端部に、導体部７側の角部が面取りされた面取部１３が設けられているので、ワイヤバレル９の端部にエッジ状の部分がなく、ワイヤバレル９の圧着時における導体部７の傷付きを防止することができる。
【００４７】
加えて、面取部１３は、ワイヤバレル９の少なくとも被覆電線５の引出方向の端部に設けられているので、被覆電線５に引張力や振動が生じても、導体部７の傷付きを防止することができる。
【００４８】
従って、このような接続端子１では、ワイヤバレル９の端部に面取部１３が設けられているので、導体部７へのワイヤバレル９の圧着による導体部７の傷付きを防止でき、導体部７の断線を防止することができる。
【００４９】
また、被覆電線５の導体部７は、複数の素線からなるので、ワイヤバレル９の面取部１３によって、ワイヤバレル９の圧着による複数の素線の傷付きを防止でき、複数の素線の断線を防止することができる。
【００５０】
さらに、インシュレーションバレル１７は、ゴム栓１９の外周を加締めてゴム栓１９を介して被覆部１５を加締めるので、被覆電線５に引張力や振動が加わったときに、導体部７に外力が加わり易いが、面取部１３によって導体部７の傷付きが防止されており、導体部７の断線を防止することができる。
【００５１】
なお、本発明の実施の形態に係る接続端子では、ワイヤバレルの被覆電線の引出方向の端部に面取部が設けられているが、ワイヤバレルの電気接続部側にも導体部が配置される場合には、ワイヤバレルの電気接続部側の端部にも面取部を設けてもよい。
【符号の説明】
【００５２】
１…接続端子
３…電気接続部
５…被覆電線
７…導体部
９…ワイヤバレル
１１…電線接続部
１３…面取部
１５…被覆部
１７…インシュレーションバレル
１９…ゴム栓
【図１】
2018073768.tif 000003
【図２】
2018073768.tif 000004
【図３】
2018073768.tif 000005
【図４】
2018073768.tif 000006
【図５】
2018073768.tif 000007